(57)【要約】      （修正有）【課題】使用上の柔軟性を高め、使用者に利便性をもたらす魔法瓶を提供する。【解決手段】第１の結合部を含む外カップ１１０と、第２の結合部を含むスリーブ１４０と、少なくとも部分的にスリーブ内に嵌設され、第３の結合部１２２を含む内カップ１２０と、第２の結合部１４１と実質的に同じ形状と大きさを有するとともに、第１の結合部１１１又は第３の結合部への結合に適合するように配置されている第４の結合部１３１を含む蓋１３０と、を備え、第２の結合部は、内カップが少なくとも部分的に外カップ内に収容されるように、第１の結合部に着脱可能に結合するように配置され、第３の結合部と第１の結合部とは、実質的に同じ形状と大きさを有し、第４の結合部が第１の結合部に結合している場合、蓋は外カップを密封し、内カップは外カップから外され、第４の結合部が第３の結合部に結合している場合、前記蓋は内カップ密封する魔法瓶。【選択図】図３
0003233249.tif 000002
【実用新案登録請求の範囲】
【請求項１】
第１の結合部を含む外カップと、
第２の結合部を含むスリーブと、
少なくとも部分的に前記スリーブ内に嵌設され、第３の結合部を含む内カップと、
前記第２の結合部と実質的に同じ形状と大きさを有するとともに、前記第１の結合部又は前記第３の結合部への結合に適合するように配置されている第４の結合部を含む蓋と、を備え、
前記内カップが少なくとも部分的に前記外カップ内に収容されるように、前記第２の結合部は前記第１の結合部に着脱可能に結合するように配置され、前記第３の結合部と前記第１の結合部とは、実質的に同じ形状と大きさを有し、
前記第４の結合部が前記第１の結合部に結合している場合、前記蓋は前記外カップを密封し、前記内カップは前記外カップから外され、前記第４の結合部が前記第３の結合部に結合している場合、前記蓋は前記内カップを密封する魔法瓶。
【請求項２】
前記第１の結合部は前記外カップの内壁に設けられ、
前記内カップは、
第１の内径を有する第１のカップ本体と、
前記第１の内径よりも大きい第２の内径を有する第２のカップ本体と、
前記第１のカップ本体と前記第２のカップ本体との間に接続される第３のカップ本体と、を含み、
前記第２の結合部は前記第１のカップ本体に対応し、
前記第３の結合部は前記第２のカップ本体の内壁に設けられる請求項１に記載の魔法瓶。
【請求項３】
前記第１の結合部は環状を呈するように囲まれ、前記第２の結合部は環状を呈するように囲まれる請求項１又は２に記載の魔法瓶。
【請求項４】
前記第１のカップ本体及び前記第３のカップ本体は前記スリーブ内に位置し、前記第２のカップ本体は少なくとも部分的に前記スリーブ外に位置する請求項２に記載の魔法瓶。
【請求項５】
前記蓋は、
貫通孔を有する本体と、
前記本体に枢着され、前記貫通孔を密封するように配置されているフリップ蓋と、を含む請求項１〜４の何れか一項に記載の魔法瓶。
【請求項６】
前記外カップは、外層構造及び内層構造を含み、前記外層構造と前記内層構造が、それらの中に断熱空間を定義するように少なくとも部分的に互いに離れる請求項１〜５の何れか一項に記載の魔法瓶。
【請求項７】
前記第１の結合部は前記外カップの外壁に設けられ、
前記内カップは、
第１の内径を有する第１のカップ本体と、
前記第１の内径よりも大きい第２の内径を有する第２のカップ本体と、
前記第１のカップ本体と前記第２のカップ本体との間に接続される第３のカップ本体と、を含み、
前記第３の結合部は前記第２のカップ本体の外壁に設けられ、
前記スリーブは、
前記第１のカップ本体の外壁を囲んでそれに接続される内環と、
前記内環に向く側に前記第２の結合部が位置する外環と、
前記内環と前記外環との間に接続され、少なくとも部分的に前記外カップのエッジを受けるように配置されている受け部と、を含む請求項１に記載の魔法瓶。
【請求項８】
前記第１の結合部は雄ねじ構造であり、前記第２の結合部は雌ねじ構造である請求項７に記載の魔法瓶。
【請求項９】
前記内環は、前記内環の前記外環に向く側に設けられる第１の係着部を有し、前記外カップは、前記外カップの内壁に設けられる第２の係着部を有し、前記第１の係着部と前記第２の係着部は、互いに係着されるように配置されている請求項７又は８に記載の魔法瓶。
【請求項１０】
前記第１のカップ本体は、少なくとも部分的に前記内環内に位置し、前記第２のカップ本体は前記内環外に位置する請求項７〜９の何れか一項に記載の魔法瓶。
【考案の詳細な説明】
【技術分野】
【０００１】
本考案は、魔法瓶に関する。
【背景技術】
【０００２】
現在、生活水準の向上につれて、人々は益々養生の方法が分かるようになってきた。日常生活で、多くの人は、必要な時に体に水分を随時補充できるように、外出時に魔法瓶を携帯することにも慣れてきた。
【考案の概要】
【考案が解決しようとする課題】
【０００３】
しかしながら、消費者の要求が益々高くなってきたにつれて、消費者は、魔法瓶が温水以外に異なる飲み物を盛ることにも適合できるように希望している。従って、如何に魔法瓶が異なる特性を有する飲み物を盛ることに適合できるようにするかは、間違いなくこの業界の重要な発展方向の１つである。
【０００４】
本考案の目的の１つは、使用上の柔軟性を高め、使用者に利便性をもたらすことができる魔法瓶を提供することである。
【課題を解決するための手段】
【０００５】
本考案の一実施形態によれば、魔法瓶は、第１の結合部を含む外カップと、第２の結合部を含むスリーブと、少なくとも部分的にスリーブ内に嵌設され、第３の結合部を含む内カップと、第２の結合部と実質的に同じ形状と大きさを有するとともに、第１の結合部又は第３の結合部への結合に適合するように配置されている第４の結合部を含む蓋と、を備え、内カップが少なくとも部分的に外カップ内に収容されるように、第２の結合部は第１の結合部に着脱可能に結合するように配置され、第３の結合部と第１の結合部とは、実質的に同じ形状と大きさを有し、第４の結合部が第１の結合部に結合している場合、蓋は外カップを密封し、内カップは外カップから外され、第４の結合部が第３の結合部に結合している場合、蓋は内カップを密封する。
【０００６】
本考案の１つ又は複数の実施形態において、上記第１の結合部は外カップの内壁に設けられ、内カップは、第１の内径を有する第１のカップ本体と、第１の内径よりも大きい第２の内径を有する第２のカップ本体と、第１のカップ本体と第２のカップ本体との間に接続される第３のカップ本体と、を含み、第２の結合部は第１のカップ本体に対応し、第３の結合部は第２のカップ本体の内壁に設けられる。
【０００７】
本考案の１つ又は複数の実施形態において、上記第１の結合部は環状を呈するように囲まれ、第２の結合部も環状を呈するように囲まれる。
【０００８】
本考案の１つ又は複数の実施形態において、上記第１のカップ本体及び第３のカップ本体はスリーブ内に位置し、第２のカップ本体は少なくとも部分的にスリーブ外に位置する。
【０００９】
本考案の１つ又は複数の実施形態において、上記蓋は、貫通孔を有する本体と、本体に枢着され、貫通孔を密封するように配置されているフリップ蓋と、を含む。
【００１０】
本考案の１つ又は複数の実施形態において、上記外カップは、外層構造及び内層構を含み、外層構造と内層構造が、それらの中に断熱空間を定義するように少なくとも部分的に互いに離れる。
【００１１】
本考案の１つ又は複数の実施形態において、上記第１の結合部は外カップの外壁に設けられ、内カップは、第１の内径を有する第１のカップ本体と、第１の内径よりも大きい第２の内径を有する第２のカップ本体と、第１のカップ本体と第２のカップ本体との間に接続される第３のカップ本体と、を含み、第３の結合部は第２のカップ本体の外壁に設けられ、スリーブは、第１のカップ本体の外壁を囲んでそれに接続される内環と、内環に向く側に第２の結合部が位置する外環と、内環と外環との間に接続され、少なくとも部分的に外カップのエッジを受けるように配置されている受け部と、を含む。
【００１２】
本考案の１つ又は複数の実施形態において、上記第１の結合部は雄ねじ構造であり、第２の結合部は雌ねじ構造である。
【００１３】
本考案の１つ又は複数の実施形態において、上記内環は、内環の外環に向く側に設けられる第１の係着部を有し、外カップは、外カップの内壁に設けられる第２の係着部を有し、第１の係着部と第２の係着部は、互いに係着されるように配置されている。
【００１４】
本考案の１つ又は複数の実施形態において、上記第１のカップ本体は、少なくとも部分的に内環内に位置し、第２のカップ本体は内環外に位置する。
【考案の効果】
【００１５】
本考案の上記実施形態は、少なくとも以下のメリットを有する。
【００１６】
（１）使用者は、飲み物の特性又は個人の好みに応じて選択的に飲み物を魔法瓶の外カップ又は内カップの何れかの内部に簡単且つ容易に盛ることができ、魔法瓶の使用上の柔軟性が高められる。
【００１７】
（２）同一の蓋だけで、外カップ又は内カップを密封することができ、使用者に利便性をもたらすことができる。
【図面の簡単な説明】
【００１８】
【図１】本考案の一実施形態に係る魔法瓶を示す斜視模式図である。
【図２】図１の魔法瓶を示す分解図である。
【図３】図１の線分Ａ−Ａに沿った断面図である。
【図４】外カップが取り外された図１の魔法瓶を示す断面図である。
【図５】内カップが取り外された図１の魔法瓶を示す断面図である。
【図６】フリップ蓋が開けられて本体の貫通孔が露出している図１の魔法瓶を示す局所拡大模式図である。
【図７】本考案の別の実施形態に係る魔法瓶を示す斜視模式図である。
【図８】図７の魔法瓶を示す分解図である。
【図９】図７の線分Ｂ−Ｂに沿った断面図である。
【図１０】外カップが取り外された図７の魔法瓶を示す断面図である。
【図１１】内カップが取り外された図７の魔法瓶を示す断面図である。
【考案を実施するための形態】
【００１９】
以下、図面で本考案の複数の実施形態を開示し、明確に説明するために、多くの実際的な細部を下記叙述で合わせて説明する。しかしながら、理解すべきなのは、これらの実際的な細部が、本考案を制限するように適用されるものではない。つまり、本考案の一部の実施形態において、これらの実際的な細部は必要なものではない。また、図面を簡略化するために、ある従来慣用の構造及び素子は、図面において簡単で模式的に示され、全ての図面において、同じ符号は、同じ又は類似する素子を表すために用いられる。実施可能であれば、異なる実施例の特徴は、交互に適用可能である。
【００２０】
別途定義していない限り、本明細書で使用される全ての語彙（技術と科学用語を含む）は、その通常の意味を有し、その意味がこの分野を熟知した者に理解されることができる。更に、上記語彙は、一般的に使用されている辞書における定義が、本明細書の内容において本考案の関連分野に合致する意味として解釈すべきである。特に明確に定義していない限り、これらの語彙は、理想的な又は余りにも正式な意味として解釈されない。
【００２１】
図１〜３を参照されたい。図１は、本考案の一実施形態に係る魔法瓶１００を示す斜視模式図である。図２は、図１の魔法瓶１００を示す分解図である。図３は、図１の線分Ａ−Ａに沿った断面図である。本実施形態において、図１〜３に示すように、魔法瓶１００は、外カップ１１０と、内カップ１２０と、蓋１３０と、を含む。外カップ１１０及び内カップ１２０は、何れも飲み物を盛ることに適合する。実際には、外カップ１１０及び内カップ１２０は、材料の異なりによって異なる飲み物を盛ることに適合することができ、一例として、外カップ１１０はステンレス鋼材質であってよく、内カップ１２０はセラミック材質であってよいが、本考案はこれらに限定されない。構造的には、図３に示すように、外カップ１１０は外層構造１１２及び内層構造１１３を含み、外層構造１１２と内層構造１１３が、それらの中に断熱空間ＩＳを定義するように少なくとも部分的に互いに離れ、外カップ１１０内に盛られた飲み物に対する保温に寄与する。
【００２２】
具体的には、外カップ１１０は第１の結合部１１１を含む。また、魔法瓶１００はスリーブ１４０を更に含み、内カップ１２０は少なくとも部分的にスリーブ１４０内に嵌設される。スリーブ１４０は第２の結合部１４１を含み、内カップ１２０は第３の結合部１２２を含み、スリーブ１４０の第２の結合部１４１は、内カップ１２０が少なくとも部分的に外カップ１１０内に収容されるように、外カップ１１０の第１の結合部１１１に着脱可能に結合するように配置され、内カップ１２０の第３の結合部１２２と外カップ１１０の第１の結合部１１１とは、実質的に同じ形状と大きさを有する。また、蓋１３０は第４の結合部１３１を含み、蓋１３０の第４の結合部１３１とスリーブ１４０の第２の結合部１４１とは、実質的に同じ形状と大きさを有し、且つ、蓋１３０の第４の結合部１３１は、外カップ１１０の第１の結合部１１１又は内カップ１２０の第３の結合部１２２への結合に適合するように配置されている。言い換えれば、実際のニーズに応じて、蓋１３０は、外カップ１１０又は内カップ１２０を覆うために用いられる。一例として、図３に示すように、蓋１３０の第４の結合部１３１が内カップ１２０の第３の結合部１２２に結合している場合、蓋１３０は内カップ１２０を密封する。
【００２３】
更に、図３に示すように、第１の結合部１１１は外カップ１１０の内壁１１０Ｉに設けられている。内カップ１２０は、第１のカップ本体１２３と、第２のカップ本体１２４と、第３のカップ本体１２５と、を含む。第１のカップ本体１２３は第１の内径ＩＤ１を有し、スリーブ１４０の第２の結合部１４１はスリーブ１４０の外壁１４０Ｅに位置するとともに、第１のカップ本体１２３に対応する。第２のカップ本体１２４は第２の内径ＩＤ２を有し、第２のカップ本体１２４の第２の内径ＩＤ２は、第１のカップ本体１２３の第１の内径ＩＤ１よりも大きく、第３の結合部１２２は第２のカップ本体１２４の内壁１２４Ｉに設けられている。第３のカップ本体１２５は、第１のカップ本体１２３と第２のカップ本体１２４との間に接続されている。
【００２４】
より具体的には、本実施形態において、外カップ１１０の第１の結合部１１１は環状を呈するように囲まれ、スリーブ１４０の第２の結合部１４１も環状を呈するように囲まれている。以上に説明したように、内カップ１２０の第３の結合部１２２と外カップ１１０の第１の結合部１１１とは、実質的に同じ形状と大きさを有し、蓋１３０の第４の結合部１３１とスリーブ１４０の第２の結合部１４１とも、実質的に同じ形状と大きさを有するため、内カップ１２０の第３の結合部１２２及び蓋１３０の第４の結合部１３１も環状を呈するように囲まれている。
【００２５】
実際の応用では、スリーブ１４０の材料はシリコンである。内カップ１２０の第１のカップ本体１２３及び第３のカップ本体１２５は、スリーブ１４０内に位置し、第２のカップ本体１２４は、少なくとも部分的にスリーブ１４０外に位置する。
【００２６】
図４を参照されたい。図４は、外カップ１１０が取り外された図１の魔法瓶１００を示す断面図である。実際の応用では、蓋１３０の第４の結合部１３１が内カップ１２０の第３の結合部１２２に結合し、即ち蓋１３０が内カップ１２０を密封する場合、外カップ１１０は内カップ１２０から離脱することができ、図４に示すように、外カップ１１０が取り外され、魔法瓶１００の使用上の柔軟性が増える。
【００２７】
図５を参照されたい。図５は、内カップ１２０が取り外された図１の魔法瓶１００を示す断面図である。実際の応用では、使用者の考えでは外カップ１１０が内カップ１２０よりもある飲み物を盛ることに適合する場合、使用者は、内カップ１２０を外カップ１１０から外すことができ、図５に示すように、蓋１３０の第４の結合部１３１が外カップ１１０の第１の結合部１１１に結合している場合、蓋１３０は外カップ１１０を密封する。
【００２８】
纏めていえば、使用者は、飲み物の特性又は個人の好みに応じて選択的に飲み物を魔法瓶１００の外カップ１１０又は内カップ１２０の何れかの内部に簡単且つ容易に盛ることができ、魔法瓶１００の使用上の柔軟性が高められる。また、同一の蓋１３０だけで、外カップ１１０又は内カップ１２０を密封することができ、使用者に利便性をもたらすことができる。
【００２９】
図６を参照されたい。図６は、フリップ蓋１３３が開けられて本体１３２の貫通孔Ｈが露出している図１の魔法瓶１００を示す局所拡大模式図である。本実施形態において、図６に示すように、蓋１３０は、本体１３２と、フリップ蓋１３３と、を含む。本体１３２は貫通孔Ｈを有し、フリップ蓋１３３は本体１３２に枢着され、且つ、フリップ蓋１３３は、本体１３２の貫通孔Ｈを密封するように配置されている。フリップ蓋１３３が開けられて本体１３２の貫通孔Ｈが露出している場合、使用者は魔法瓶１００内の飲み物を簡単且つ容易に注ぎ出すことができる。
【００３０】
図７〜９を参照されたい。図７は、本考案の別の実施形態に係る魔法瓶５００を示す斜視模式図である。図８は、図７の魔法瓶５００を示す分解図である。図９は、図７の線分Ｂ−Ｂに沿った断面図である。本実施形態において、図７〜９に示すように、魔法瓶５００は、外カップ５１０と、内カップ５２０と、蓋５３０と、を含む。同様に、外カップ５１０及び内カップ５２０は、何れも飲み物を盛ることに適合する。実際には、外カップ５１０及び内カップ５２０は、材料の異なりによって異なる飲み物を盛ることに適合することができ、一例として、外カップ５１０はステンレス鋼材質であってよく、内カップ５２０はセラミック材質であってよいが、本考案はこれらに限定されない。構造的には、図９に示すように、外カップ５１０は外層構造５１２及び内層構造５１３を含み、外層構造５１２と内層構造５１３が、それらの中に断熱空間ＩＳを定義するように少なくとも部分的に互いに離れ、外カップ５１０内に盛られた飲み物に対する保温に寄与する。
【００３１】
具体的には、外カップ５１０は第１の結合部５１１を含む。また、魔法瓶５００はスリーブ５４０を更に含み、内カップ５２０は少なくとも部分的にスリーブ５４０内に嵌設される。スリーブ５４０は第２の結合部５４１を含み、内カップ５２０は第３の結合部５２２を含み、スリーブ５４０の第２の結合部５４１は、内カップ５２０が少なくとも部分的に外カップ５１０内に収容されるように、外カップ５１０の第１の結合部５１１に着脱可能に結合するように配置され、内カップ５２０の第３の結合部５２２と外カップ５１０の第１の結合部５１１とは、実質的に同じ形状と大きさを有する。また、蓋５３０は第４の結合部５３１を含み、蓋５３０の第４の結合部５３１とスリーブ５４０の第２の結合部５４１とは、実質的に同じ形状と大きさを有し、且つ、蓋５３０の第４の結合部５３１は、外カップ５１０の第１の結合部５１１又は内カップ５２０の第３の結合部５２２への結合に適合するように配置されている。言い換えれば、実際のニーズに応じて、蓋５３０は、外カップ５１０又は内カップ５２０を覆うために用いられる。一例として、図９に示すように、蓋５３０の第４の結合部５３１が内カップ５２０の第３の結合部５２２に結合している場合、蓋５３０は内カップ５２０を密封する。
【００３２】
更に、図９に示すように、第１の結合部５１１は、外カップ５１０の外壁５１０Ｅに設けられている。内カップ５２０は、第１のカップ本体５２３と、第２のカップ本体５２４と、第３のカップ本体５２５と、を含む。第１のカップ本体５２３は第１の内径ＩＤ１を有する。第２のカップ本体５２４は第２の内径ＩＤ２を有し、第２のカップ本体５２４の第２の内径ＩＤ２は、第１のカップ本体５２３の第１の内径ＩＤ１よりも大きく、第３の結合部５２２は、第２のカップ本体５２４の外壁５２４Ｅに設けられている。第３のカップ本体５２５は、第１のカップ本体５２３と第２のカップ本体５２４との間に接続されている。スリーブ５４０は、内環５４７と、外環５４８と、受け部５４９と、を含む。内環５４７は、第１のカップ本体５２３の外壁５２３Ｅを囲んでそれに接続される。第２の結合部５４１は、外環５４８の内環５４７に向く側に位置する。受け部５４９は、内環５４７と外環５４８との間に接続され、且つ少なくとも部分的に外カップ５１０のエッジ５１４を受けるように配置されている。
【００３３】
より具体的には、本実施形態において、外カップ５１０の第１の結合部５１１は雄ねじ構造であり、スリーブ５４０の第２の結合部５４１は雌ねじ構造である。以上に説明したように、内カップ５２０の第３の結合部５２２と外カップ５１０の第１の結合部５１１とは、実質的に同じ形状と大きさを有し、蓋５３０の第４の結合部５３１とスリーブ５４０の第２の結合部５４１とも、実質的に同じ形状と大きさを有するため、内カップ５２０の第３の結合部５２２は雄ねじ構造であり、蓋５３０の第４の結合部５３１は雌ねじ構造である。
【００３４】
実際の応用では、スリーブ５４０の材料はシリコンである。内カップ５２０の第１のカップ本体５２３は、少なくとも部分的にスリーブ５４０の内環５４７内に位置し、第２のカップ本体５２４はスリーブ５４０の内環５４７外に位置する。
【００３５】
更に、スリーブ５４０の内環５４７は第１の係着部５４７ａを有し、第１の係着部５４７ａは内環５４７の外環５４８に向く側に設けられ、外カップ５１０は第２の係着部５１０ａを有し、第２の係着部５１０ａは外カップ５１０の内壁５１０Ｉに設けられ、スリーブ５４０の第１の係着部５４７ａと外カップ５１０の第２の係着部５１０ａとは、内カップ５２０と外カップ５１０との相対的位置を固定するために、互いに係着されるように配置されている。
【００３６】
図１０を参照されたい。図１０は、外カップ５１０が取り外された図７の魔法瓶５００を示す断面図である。実際の応用では、蓋５３０の第４の結合部５３１が内カップ５２０の第３の結合部５２２に結合し、即ち蓋５３０が内カップ５２０を密封する場合、外カップ５１０は内カップ５２０から離脱することができ、図１０に示すように、外カップ５１０が取り外され、魔法瓶５００の使用上の柔軟性が増える。
【００３７】
図１１を参照されたい。図１１は、内カップ５２０が取り外された図７の魔法瓶５００を示す断面図である。同様に、実際の応用では、使用者の考えでは外カップ５１０が内カップ５２０よりもある飲み物を盛ることに適合する場合、使用者は、内カップ５２０を外カップ５１０から外すことができ、図１１に示すように、蓋５３０の第４の結合部５３１が外カップ５１０の第１の結合部５１１に結合している場合、蓋５３０は外カップ５１０を密封する。
【００３８】
纏めていえば、使用者は、飲み物の特性又は個人の好みに応じて選択的に飲み物を魔法瓶５００の外カップ５１０又は内カップ５２０の何れかの内部に簡単且つ容易に盛ることができ、魔法瓶５００の使用上の柔軟性が高められる。また、同一の蓋５３０だけで、外カップ５１０又は内カップ５２０を密封することができ、使用者に利便性をもたらすことができる。
【００３９】
以上を纏めると、本考案の上記実施形態に開示された技術的解決手段は、少なくとも以下のメリットを有する。
【００４０】
（１）使用者は、飲み物の特性又は個人の好みに応じて選択的に飲み物を魔法瓶の外カップ又は内カップの何れかの内部に簡単且つ容易に盛ることができ、魔法瓶の使用上の柔軟性が高められる。
【００４１】
（２）同一の蓋だけで、外カップ又は内カップを密封することができ、使用者に利便性をもたらすことができる。
【符号の説明】
【００４２】
１００、５００  魔法瓶
１１０、５１０  外カップ
１１０Ｉ、１２４Ｉ、５１０Ｉ  内壁
１１１、５１１  第１の結合部
１１２、５１２  外層構造
１１３、５１３  内層構造
１２０、５２０  内カップ
１２２、５２２  第３の結合部
１２３、５２３  第１のカップ本体
１２４、５２４  第２のカップ本体
１２５、５２５  第３のカップ本体
１３０、５３０  蓋
１３１、５３１  第４の結合部
１３２  本体
１３３  フリップ蓋
１４０、５４０  スリーブ
１４０Ｅ、５１０Ｅ、５２３Ｅ、５２４Ｅ、５４０Ｅ  外壁
１４１、５４１  第２の結合部
５１０ａ  第２の係着部
５１４  エッジ
５４７  内環
５４７ａ  第１の係着部
５４８  外環
５４９  受け部
Ａ−Ａ、Ｂ−Ｂ  線分
Ｈ  貫通孔
ＩＤ１  第１の内径
ＩＤ２  第２の内径
ＩＳ  断熱空間
【図１】
0003233249.tif 000003
【図２】
0003233249.tif 000004
【図３】
0003233249.tif 000005
【図４】
0003233249.tif 000006
【図５】
0003233249.tif 000007
【図６】
0003233249.tif 000008
【図７】
0003233249.tif 000009
【図８】
0003233249.tif 000010
【図９】
0003233249.tif 000011
【図１０】
0003233249.tif 000012
【図１１】
0003233249.tif 000013